(57)【要約】    【課題】      視聴しているテレビ放送やラジオ放送の受信地域が移動に伴って変化した場合でも、容易に選局を行うことができ、また、他の放送受信装置が予約保持する番組情報を利用できるようにすること。    【解決手段】  放送局情報管理部１０９は、放送局情報格納メモリ１０８の記憶内容を管理し、ユーザからの指示があったとき装置間通信部１１０を使用して他の放送受信装置から移動先における放送局情報を取得して放送局情報格納メモリ１０８に格納する。制御部１０６は、ユーザからの指示に従って放送局情報格納メモリ１０８から該当する放送局の周波数情報を抽出して選局部１０２に与える。これによって、移動先での放送信号の受信処理が行われる。  【選択図】      図１
2006135648.tif 000002
【特許請求の範囲】
【請求項１】
現在地で受信可能な放送局の周波数情報を含む放送局情報を格納する記憶手段と、
ユーザが指定する放送局の周波数の情報を前記記憶手段から抽出し、前記周波数にて放送信号の受信処理を行う受信処理手段と、
他の放送受信装置との間で情報の授受を行う装置間通信手段と、
前記記憶手段の記憶内容を管理し、ユーザからの指示があったとき前記装置間通信手段を使用して他の放送受信装置から放送局情報を取得し、前記記憶手段に格納する管理手段と、を具備することを特徴とする放送受信装置。
【請求項２】
前記管理手段は、他の放送受信装置から受けた放送局情報の送信依頼を表示手段に表示し、ユーザからの指示に従って前記装置間通信手段を使用して前記他の放送受信装置に前記依頼された放送局情報を送信することを特徴とする請求項１記載の放送受信装置。
【請求項３】
前記管理手段は、ユーザからの指示があったとき前記装置間通信手段を使用して他の放送受信装置から放送局情報に加えて現在視聴中の放送局の情報である視聴放送局情報を取得し、取得した放送局情報を前記記憶手段に格納するとともに、前記受信処理手段に対して、取得した視聴放送局情報の放送局の周波数にて放送信号の受信処理を行わせることを特徴とする請求項１記載の放送受信装置。
【請求項４】
前記管理手段は、他の放送受信装置から受けた放送局情報及び視聴放送局情報の送信依頼を表示手段に表示し、ユーザからの指示に従って前記装置間通信手段を使用して前記他の放送受信装置に前記依頼された放送局情報及び視聴放送局情報を送信することを特徴とする請求項３記載の放送受信装置。
【請求項５】
前記管理手段は、ユーザからの指示があったとき前記装置間通信手段を使用して他の放送受信装置から、移動先の他の地域の放送局情報を取得し、取得した放送局情報を前記記憶手段に格納するとともに、移動先においてユーザからの指示に従って表示手段に放送局情報を表示することを特徴とする請求項１記載の放送受信装置。
【請求項６】
前記管理手段は、他の放送受信装置から受けた他の地域の放送局情報の送信依頼を表示手段に表示し、ユーザからの指示に従って前記装置間通信手段を使用して前記他の放送受信装置に前記依頼された他の地域の放送局情報を送信することを特徴とする請求項５記載の放送受信装置。
【請求項７】
放送番組の視聴予約／録画予約を含む番組情報を格納する第２の記憶手段と、
前記第２の記憶手段の記憶内容を管理し、ユーザからの指示があったとき前記装置間通信手段を使用して他の放送受信装置から放送番組の視聴予約／録画予約の一覧の情報を取得し、その一覧の中でユーザが選択した視聴予約／録画予約の情報を前記第２の記憶手段に格納する第２の管理手段と、を具備することを特徴とする請求項１から請求項６のいずれかに記載の放送受信装置。
【請求項８】
前記第２の管理手段は、他の放送受信装置から受けた放送番組の視聴予約／録画予約の一覧の情報の送信依頼を表示手段に表示し、ユーザからの指示に従って前記装置間通信手段を使用して前記他の放送受信装置に前記依頼された放送番組の視聴予約／録画予約の一覧の情報を送信することを特徴とする請求項７記載の放送受信装置。
【発明の詳細な説明】
【技術分野】
【０００１】
本発明は、テレビ放送やラジオ放送を受信する放送受信装置に関し、特に携帯電話機等のモバイル機器としての放送受信装置に関する。
【背景技術】
【０００２】
テレビ放送やラジオ放送の受信機能を備えた携帯電話機等のモバイル機器によって放送番組を視聴する場合に、移動に伴って受信地域が変わると、同一放送局の放送が受信できなくなることがある。このような場合、従来では、良好に受信できる放送局をユーザが当てもなく手動操作によって選局していたため、選局動作に時間を要するという問題があった。
【０００３】
この問題に対処する方策として、例えば特許文献１では、各放送局系列に属する放送局に係る地域及び周波数の一覧データからなる系列放送局情報を予め放送受信装置内に設けたメモリ内に格納しておくとともに、携帯電話基地局の識別番号を基に現在の受信地域を推定し、推定した受信地域に適合する放送局の周波数を系列放送局情報から検索し、前記検索した周波数の放送局を選局することを提案している。
【０００４】
また、例えば特許文献２では、ＧＰＳ測位機能等を用いて把握した自位置から、インターネット接続機能を用いてサーバ経由で、特定された位置で受信可能な放送局情報を取得し、前記放送局情報に含まれた周波数の情報を用いて放送局を選局することを提案している。
【特許文献１】特開２００２−９６４９号公報
【特許文献２】特開２００４−２３５７９号公報
【発明の開示】
【発明が解決しようとする課題】
【０００５】
しかしながら、特許文献１に記載の技術では、各携帯電話基地局の識別番号、位置情報に対応した放送局のデータベースを個々の装置が持つため、大容量の記録メモリが必要となってしまう。また、放送局情報の追加や削除、携帯電話基地局の追加や削除によってデータベースが変更された場合、個々の装置のデータベースを更新することが容易に行えないという問題がある。
【０００６】
また、特許文献２に記載の技術では、放送局情報を管理し、放送受信装置から送られてくる位置情報に対して、その地点における放送局情報を送信するサーバを設けることが必要となり、サーバの設置、維持管理を行わなければならないという問題がある。
【０００７】
本発明は、かかる点に鑑みてなされたものであり、放送受信装置内に大容量のメモリを備えることやサーバ装置を別途設置することなく、移動に伴って受信困難となったテレビ放送やラジオ放送の選局操作を容易に行うことができ、また、他の放送受信装置が予約保持する番組情報を利用することができる放送受信装置を提供することを目的とする。
【課題を解決するための手段】
【０００８】
かかる課題を解決するため、本発明に係る放送受信装置は、現在地で受信可能な放送局の周波数情報を含む放送局情報を格納する記憶手段と、ユーザが指定する放送局の周波数の情報を前記記憶手段から抽出し、前記周波数にて放送信号の受信処理を行う受信処理手段と、他の放送受信装置との間で情報の授受を行う装置間通信手段と、前記記憶手段の記憶内容を管理し、ユーザからの指示があったとき前記装置間通信手段を使用して他の放送受信装置から放送局情報を取得し、前記記憶手段に格納する管理手段と、を具備する構成を採る。また、本発明に係る放送受信装置は、前記管理手段が、他の放送受信装置から受けた放送局情報の送信依頼を表示手段に表示し、ユーザからの指示に従って前記装置間通信手段を使用して前記他の放送受信装置に前記依頼された放送局情報を送信する構成を採る。
【０００９】
本発明に係る放送受信装置は、前記管理手段が、ユーザからの指示があったとき前記装置間通信手段を使用して他の放送受信装置から放送局情報に加えて現在視聴中の放送局の情報である視聴放送局情報を取得し、取得した放送局情報を前記記憶手段に格納するとともに、前記受信処理手段に対して、取得した視聴放送局情報の放送局の周波数にて放送信号の受信処理を行わせる構成を採る。また、本発明に係る放送受信装置は、前記管理手段が、他の放送受信装置から受けた放送局情報及び視聴放送局情報の送信依頼を表示手段に表示し、ユーザからの指示に従って前記装置間通信手段を使用して前記他の放送受信装置に前記依頼された放送局情報及び視聴放送局情報を送信する構成を採る。
【００１０】
本発明に係る放送受信装置は、前記管理手段が、ユーザからの指示があったとき前記装置間通信手段を使用して他の放送受信装置から、移動先の他の地域における放送局情報を取得し、取得した放送局情報を前記記憶手段に格納するとともに、移動先においてユーザからの指示に従って表示手段に放送局情報を表示する構成を採る。また、本発明に係る放送受信装置は、前記管理手段が、他の放送受信装置から受けた他の地域の放送局情報の送信依頼を表示手段に表示し、ユーザからの指示に従って前記装置間通信手段を使用して前記他の放送受信装置に前記依頼された他の地域の放送局情報を送信する構成を採る。
【００１１】
本発明に係る放送受信装置は、放送番組の視聴予約／録画予約を含む番組情報を格納する第２の記憶手段と、前記第２の記憶手段の記憶内容を管理し、ユーザからの指示があったとき前記装置間通信手段を使用して他の放送受信装置から放送番組の視聴予約／録画予約の一覧の情報を取得し、その一覧の中でユーザが選択した視聴予約／録画予約の情報を前記第２の記憶手段に格納する第２の管理手段と、を具備する構成を採る。また、本発明に係る放送受信装置は、前記第２の管理手段が、他の放送受信装置から受けた放送番組の視聴予約／録画予約の一覧の情報の送信依頼を表示手段に表示し、ユーザからの指示に従って前記装置間通信手段を使用して前記他の放送受信装置に前記依頼された放送番組の視聴予約／録画予約の一覧の情報を送信する構成を採る。
【発明の効果】
【００１２】
本発明によれば、簡易な操作によって他のモバイル機器から現在地における放送局情報等を取得することができるので、放送受信装置内に大容量のメモリを備えることやサーバ装置を別途設置することなく、移動に伴って受信困難となったテレビ放送やラジオ放送の選局操作を容易に行うことができる。また、他の放送受信装置が予約保持する番組情報を利用することができる。したがって、ユーザの利便性が高い放送受信装置を提供することができる。
【発明を実施するための最良の形態】
【００１３】
以下、本発明の実施の形態について図面を参照して詳細に説明する。
【００１４】
（実施の形態１）
図１は、本発明の実施の形態１に係る放送受信装置の構成を示すブロック図である。図１では、２つの放送受信装置１００が示されている。各放送受信装置１００は、受信アンテナ１０１と、選局部１０２と、放送信号復調部１０３と、画像再生表示部１０４と、音声再生出力部１０５と、制御部１０６と、操作部１０７と、放送局情報格納メモリ１０８と、放送局情報管理部１０９と、装置間通信部１１０とを備えている。
【００１５】
装置間通信部１１０は、赤外線通信やブルートゥース（Ｂｌｕｅｔｏｏｔｈ）等の近距離通信部である。２つの放送受信装置１００は、それぞれの放送局情報管理部１０９が装置間通信部１１０を制御して通信を行うことができる。
【００１６】
制御部１０６は、マイクロプロセッサとメモリとを有し、装置全体の制御を行う。放送局情報格納メモリ１０８は、放送局に係る周波数の一覧データからなる放送局情報を格納するのに用いられている。この放送局情報格納メモリ１０８は、制御部１０６がアクセスするとともに、放送局情報管理部１０９も制御部１０６の制御下にアクセスする。なお、この放送局情報格納メモリ１０８は、制御部１０６が有するメモリを用いることができる。
【００１７】
操作部１０７は、ユーザが放送局のチャンネルや周波数を設定したり、他の放送受信装置と放送局情報をやりとりする設定をしたりする各種の入力キーを備えている。制御部１０６は、ユーザが操作部１０７を用いて行う各種の操作内容を取り込み、受信アンテナ１０１からの受信動作や放送局情報管理部１０９及び装置間通信部１１０を用いて他の放送受信装置から放送局情報を取得する動作など、対応する制御動作を行う。
【００１８】
即ち、制御部１０６は、通常、受信アンテナ１０１からの受信動作を制御するが、その過程で操作部１０７から選局指示が入力すると、一定の条件下に、放送局情報管理部１０９及び装置間通信部１１０を用いて他の放送受信装置から放送局情報を取得する動作を行い、自放送受信装置にて新たな放送局情報による受信動作を可能にする。
【００１９】
ここでは、まず、図１を参照して受信アンテナ１０１からの受信動作を説明する。その後に、図１を参照しつつ図２に沿って他の放送受信装置から放送局情報を取得する動作を説明する。
【００２０】
受信アンテナ１０１からの受信動作では、制御部１０６は、ユーザが操作部１０７を操作して選択入力した放送局に該当する周波数制御信号を放送局情報格納メモリ１０８上の放送局情報から抽出し、選局部１０２に与える。
【００２１】
選局部１０２は、アンテナ１０１から入力する放送電波の高周波信号を増幅し、制御部１０６からの周波数制御信号によって局部発振器の周波数を制御して選局を行い、生成した中間周波数信号を放送信号復調部１０３に与える。
【００２２】
放送信号復調部１０３は、制御部１０６の制御下に、選局部１０２から入力する中間周波数信号を復調或いは復号し、増幅した映像信号を画像再生表示部１０４に与え、また増幅した音響信号を音声再生出力部１０５に与える。
【００２３】
画像再生表示部１０４は、制御部１０６の制御下に、液晶などで構成される表示部に映像を再生表示するとともに、受信放送番組の情報表示や操作者に対する操作手順の表示などを行う。音声再生出力部１０５は、スピーカ、イヤホンなどで構成され、音響を出力する。
【００２４】
図２は、他の放送受信装置から現在地において受信可能な放送局情報を取得する動作過程を説明するフローチャートである。なお、図２及び以降に示すフロー図の説明では、情報の取得を必要とする放送受信装置を放送受信装置＃１とし、送信依頼を受ける放送受信装置を放送受信装置＃２として説明する。また、処理手順を示すステップは、ＳＴと略記する。
【００２５】
図２において、放送受信装置＃１では、ユーザは、受信アンテナ１０１からの受信動作を行っている過程で受信状態が悪化すると、操作部１０７を操作して選局指示を入力する。制御部１０６は、操作部１０７から選局指示が入力すると、放送局情報格納メモリ１０８を検索し、「現在地において受信可能な放送局情報」を保持しているか否かを調べる（ＳＴ２０１）。
【００２６】
その結果、制御部１０６は、現在地において受信可能な放送局情報が存在する場合は（ＳＴ２０１：Ｙｅｓ）、ＳＴ２０６に進むが、現在地において受信可能な放送局情報が存在しないときは（ＳＴ２０１：Ｎｏ）、放送局情報管理部１０９に対して他の放送受信装置＃２から放送局情報を取得する指示を出す。放送局情報管理部１０９は、制御部１０６からの指示に従って他の放送受信装置＃２に対して現在地での受信可能な放送局情報を保持しているか否かを問い合わせる（ＳＴ２０２）。
【００２７】
他の放送受信装置＃２では、放送局情報管理部１０９が問い合わせを受けて放送局情報格納メモリ１０８を検索し、要求する放送局情報の保持の有無を要求元の放送受信装置＃１に返信する。
【００２８】
返信を受けた放送受信装置＃１の放送局情報管理部１０９は、その返信が「要求する放送局情報を保持している」であるときは（ＳＴ２０２：Ｙｅｓ）、その保持する放送局情報の送信を依頼する。一方、放送受信装置＃１の放送局情報管理部１０９は、その返信が「要求する放送局情報を保持していない」であるときは（ＳＴ２０２：Ｎｏ）、更に他の放送受信装置＃２に対して同様の問い合わせを行って要求する放送局情報を保持している放送受信装置を見つけ出し、その保持する放送局情報の送信を依頼する（ＳＴ２０３）。
【００２９】
送信依頼を受けた放送受信装置＃２では、放送局情報管理部１０９が制御部１０６にその旨を報知する。制御部１０６は、受け取った送信依頼を画像再生表示部１０４に表示する。放送受信装置＃２を携行するユーザは、この表示を見て操作部１０７を操作し送信指示を入力する。放送局情報管理部１０９は、制御部１０６からの送信指示を受けて、検索した放送局情報を要求元の放送受信装置＃１に送信する（ＳＴ２０４）。
【００３０】
放送受信装置＃１では、放送局情報管理部１０９がその受信した放送局情報を放送局情報格納メモリ１０８上の放送局に係る周波数の一覧データに加入する（ＳＴ２０５）。その結果、放送局情報格納メモリ１０８上に「現在地において受信可能な放送局情報」が存在することになる。
【００３１】
したがって、放送受信装置＃１では、受信状態が悪化したことによるユーザの選局指示に対して、制御部１０６は、放送局情報格納メモリ１０８上に存在する「現在地において受信可能な放送局情報」を画像再生表示部１０４に表示する。放送受信装置＃１を携行するユーザは、この表示を見て視聴する放送局を選択し、操作部１０７を操作して選局指示を入力する（ＳＴ２０６）。これによって、制御部１０６は、指定された放送局に該当する周波数制御信号を放送局情報格納メモリ１０８上の放送局情報から抽出して選局部１０２に与えることができ、放送受信装置＃１を携行するユーザは、移動してきた現在地において受信アンテナ１０１からの受信視聴を楽しむことができる。
【００３２】
このように、実施の形態１によれば、簡易な操作によって他のモバイル機器から現在地における放送局情報を取得することができるので、放送受信装置内に大容量のメモリを備えることやサーバ装置を別途設置することなく、移動に伴って受信困難となったテレビ放送やラジオ放送の選局操作を容易に行うことができる。
【００３３】
（実施の形態２）
本発明の実施の形態２に係る放送受信装置では、図１（実施の形態１）に示した構成において、放送受信装置＃１の放送局情報管理部１０９が、制御部１０６の制御下に、他の放送受信装置＃２に対して実施の形態１と同様に「現在地において受信可能な放送局情報」の送信依頼を行うときに、同時に「現在視聴中の放送局の情報（以下、「視聴放送局情報」という）」も送信依頼する。
【００３４】
以下、図１を参照しつつ図３に沿って本実施の形態２に係る放送受信装置の動作について説明する。図３は、本発明の実施の形態２に係る放送受信装置において他の放送受信装置から現在地において受信可能な放送局情報に加えて視聴放送局情報を取得する動作過程を説明するフローチャートである。
【００３５】
図３において、放送受信装置＃１では、ユーザは、受信アンテナ１０１からの受信動作を行っている過程で受信状態が悪化すると、操作部１０７を操作して選局指示を入力する。制御部１０６は、操作部１０７から選局指示が入力すると、放送局情報格納メモリ１０８を検索し、「現在地において受信可能な放送局情報」の保持の有無を調べる（ＳＴ３０１）。
【００３６】
その結果、制御部１０６は、現在地において受信可能な放送局情報が存在する場合は（ＳＴ３０１：Ｙｅｓ）、実施の形態１と同様の処理が実行されるので、本実施の形態２では、そのまま終了となる。
【００３７】
制御部１０６は、現在地において受信可能な放送局情報が存在しないときは（ＳＴ３０１：Ｎｏ）、放送局情報管理部１０９に対して他の放送受信装置＃２から放送局情報を取得する指示を出す。放送局情報管理部１０９は、制御部１０６からの指示に従って他の放送受信装置＃２に対して「現在地での受信可能な放送局情報」と「視聴放送局情報」とを保持しているか否かを問い合わせる（ＳＴ３０２）。
【００３８】
他の放送受信装置＃２では、放送局情報管理部１０９が問い合わせを受けて放送局情報格納メモリ１０８を検索し、要求する放送局情報及び視聴放送局情報の保持の有無を要求元の放送受信装置＃１に返信する。
【００３９】
返信を受けた放送受信装置＃１の放送局情報管理部１０９は、その返信が「要求する放送局情報及び視聴放送局情報を保持している」であるときは（ＳＴ３０２：Ｙｅｓ）、その保持する放送局情報等の送信を依頼する。一方、放送受信装置＃１の放送局情報管理部１０９は、その返信が「要求する放送局情報及び視聴放送局情報を保持していない」であるときは（ＳＴ３０２：Ｎｏ）、そのまま終了となる。
【００４０】
送信依頼を受けた放送受信装置＃２では、制御部１０６は、放送局情報管理部１０９から受け取った送信依頼を画像再生表示部１０４に表示する。放送受信装置＃２を携行するユーザは、この表示を見て操作部１０７を操作し送信指示を入力する。放送局情報管理部１０９は、制御部１０６からの送信指示を受けて、検索した放送局情報及び視聴放送局情報を要求元の放送受信装置＃１に送信する（ＳＴ３０３）。
【００４１】
放送受信装置＃１では、放送局情報管理部１０９がその受信した放送局情報及び視聴放送局情報を放送局情報格納メモリ１０８に格納し、その旨を制御部１０６に報知する（ＳＴ３０４）。
【００４２】
これによって、放送受信装置＃１では、受信状態が悪化したことによるユーザの選局指示に対して、制御部１０６は、放送局情報格納メモリ１０８上に存在する「現在地において受信可能な放送局情報」と「視聴放送局情報」を用いて、放送受信装置＃２において現在視聴中の放送局に該当する周波数制御信号を選局部１０２に与えることができ、自動的に受信アンテナ１０１からの受信動作に移行することができる（ＳＴ３０５）。
【００４３】
このように、実施の形態２によれば、他の放送受信装置が現在視聴している放送局の情報を放送局情報と共に取得することができるので、移動先で自動的に選局動作を行うことができ、ユーザ操作の簡易化を図ることができる。
【００４４】
（実施の形態３）
本発明の実施の形態３に係る放送受信装置では、図１（実施の形態１）に示した構成において、放送受信装置間で、放送局情報管理部１０９が、制御部１０６の制御下に、互いに保持する放送局情報の交換を行い必要な放送局情報を取得する。
【００４５】
以下、図１を参照しつつ図４に沿って本実施の形態３に係る放送受信装置の動作について説明する。図４は、本発明の実施の形態３に係る放送受信装置において他の放送受信装置から移動する先々で必要な放送局情報を取得する動作過程を説明するフローチャートである。
【００４６】
図４において、放送受信装置＃１では、制御部１０６がユーザからの指示を受けて放送局情報管理部１０９に放送局情報格納メモリ１０８を検索させ、今後、必要とする地域の放送局情報の保持の有無を調べさせる。その結果、必要とする地域の放送局情報を保持しない場合、放送局情報管理部１０９に対して他の放送受信装置＃２から放送局情報を取得する指示を出す。放送局情報管理部１０９は、制御部１０６からの指示に従って放送受信装置＃２に対して、その放送受信装置＃２が放送局情報格納メモリ１０８上に保持する「地域毎の放送局情報一覧」の提示を依頼する（ＳＴ４０１）。
【００４７】
他の放送受信装置＃２では、放送局情報管理部１０９が「地域毎の放送局情報一覧」の提示依頼を受けた旨を制御部１０６に報知する。制御部１０６は、「地域毎の放送局情報一覧」の提示依頼があった旨を画像再生表示部１０４に表示する。放送受信装置＃２を携行するユーザはその表示を見て操作部１０７から送信指示を入力する。放送局情報管理部１０９は、制御部１０６からの送信指示を受けて、放送局情報格納メモリ１０８から「地域毎の放送局情報一覧」を読み出し、要求元の放送受信装置＃１に送信する。
【００４８】
放送受信装置＃１では、制御部１０６は、放送局情報管理部１０９から受け取った「地域毎の放送局情報一覧」を操作部１０７から入力するユーザの指示に従って画像再生表示部１０４に表示する。放送受信装置＃１を携行するユーザは、この表示を見て放送受信装置＃２が保持する放送局情報の中に、今後、必要とする地域の放送局情報が存在するか否かを調べ、そのチェック結果を操作部１０７から入力する（ＳＴ４０２）。
【００４９】
放送受信装置＃１の制御部１０７は、ユーザのチェック結果が、放送受信装置＃２からの放送局情報の一覧中に「必要とする地域の放送局情報が存在しない」である場合（ＳＴ４０２：Ｎｏ）はそのまま終了するが、放送受信装置＃２からの放送局情報の一覧中に「必要とする地域の放送局情報が存在する」である場合（ＳＴ４０２：Ｙｅｓ）は、放送局情報管理部１０９に対してその「必要とする地域の放送局情報」の取得指示を出す。放送局情報管理部１０９は、制御部１０７からの指示に従って放送受信装置＃２に対して「必要とする地域の放送局情報」の送信を依頼する（ＳＴ４０３）。
【００５０】
送信依頼を受けた他の放送受信装置＃２では、放送局情報管理部１０９が制御部１０６にその旨を報知する。制御部１０６は、受け取った「放送受信装置＃１が必要とする地域の放送局情報の送信依頼」を画像再生表示部１０４に表示する。放送受信装置＃２を携行するユーザは、この表示を見て操作部１０７を操作し送信指示を入力する。放送局情報管理部１０９は、制御部１０６からの送信指示を受けて、放送局情報格納メモリ１０８を検索して要求された「地域の放送局情報」を読み出し、要求元の放送受信装置＃１に送信する。
【００５１】
放送受信装置＃１では、放送局情報管理部１０９がその受信した「地域の放送局情報」を、放送局情報格納メモリ１０８に格納する（ＳＴ４０４）。
【００５２】
このように、実施の形態３によれば、放送受信装置間で互いに保持する放送局情報の交換を行い必要な放送局情報を取得できるようにした。これにより、異なる地域に移動する際に、予めその地域において放送受信可能な放送局情報を取得しておくことができるので、移動後の選局操作を容易に行うことができる。
【００５３】
（実施の形態４）
図５は、本発明の実施の形態４に係る放送受信装置の構成を示すブロック図である。なお、図５では、図１（実施の形態１）に示した構成要素と同一ないしは同等である構成要素には同一の符号が付されている。ここでは、本実施の形態４に関わる部分を中心に説明する。
【００５４】
図５に示すように、本実施の形態４に係る放送受信装置５００では、図１（実施の形態１）に示した構成において、番組情報格納メモリ５０１と番組情報管理部５０２とが追加されている。また、制御部１０６に代えて制御部５０３が設けられ、装置間通信部１１０に代えて装置間通信部５０４が設けられている。
【００５５】
装置間通信部５０４は、赤外線やブルートゥース等の近距離通信部であり、他の放送受信装置５００との通信として、放送局情報管理部１０９の制御を受けて放送局情報等の授受を行うとともに、番組情報管理部５０２の制御を受けて番組情報等の授受も行う。
【００５６】
制御部５０３は、制御部１０６と同様にマイクロプロセッサとメモリとを有し、装置全体の制御を行い、さらに、アンテナ１０１からの受信動作において番組情報格納メモリ５０１も管理・制御し、また他の放送受信装置との通信において番組情報管理部５０２も制御する。
【００５７】
番組情報格納メモリ５０１は、ユーザ操作によって操作部１０７から入力された視聴や録画を行う放送チャンネル、開始時間、終了時間からなる番組情報を格納するのに用いられている。この番組情報格納メモリ５０１は、制御部５０３がアクセスするとともに、番組情報管理部５０２も制御部５０３の制御下にアクセスする。なお、この番組情報格納メモリ５０１は、制御部５０３が有するメモリを用いることができる。
【００５８】
まず、図５を参照して受信アンテナ１０１からの受信動作における本実施の形態４に関わる部分を説明する。即ち、受信アンテナ１０１からの受信動作では、制御部５０３は番組情報格納メモリ５０１上の番組情報に基づき、予約開始時間に予約放送局に該当する周波数制御信号を選局部１０２に出力する。選局部１０２は、その周波数制御信号によって局部発振器の周波数を制御して選局を行い、生成した中間周波数信号を放送信号復調部１０３に与える。これによって、予約した放送番組の受信処理（視聴や録画）が行われる。
【００５９】
次に、図５を参照しつつ図６に沿って他の放送受信装置から番組情報を取得する動作を説明する。図６は、本発明の実施の形態４に係る放送受信装置において他の放送受信装置から予約保持する番組情報を取得する動作過程を説明するフローチャートである。
【００６０】
図６において、放送受信装置＃１では、ユーザが操作部１０７から番組情報の取得要求を入力すると、番組情報管理部５０２が、制御部５０３の指示を受けて、他の放送受信装置＃２に対して、放送受信装置＃２が番組情報格納メモリ５０１上に保持する「視聴予約／録画予約の一覧」の提示を依頼する（ＳＴ６０１）。
【００６１】
他の放送受信装置＃２では、番組情報管理部５０２が「視聴予約／録画予約の一覧」の提示依頼を受けた旨を制御部５０３に報知する。制御部５０３は、「視聴予約／録画予約の一覧」の提示依頼があった旨を画像再生表示部１０４に表示する。放送受信装置＃２を携行するユーザは、その表示を見て操作部１０７を操作して送信指示を入力する。番組情報管理部５０２は、制御部５０３からの送信指示を受けて、番組情報格納メモリ５０１から「視聴予約／録画予約の一覧」を読み出し、要求元の放送受信装置＃１に送信する。
【００６２】
放送受信装置＃１では、制御部５０３は、番組情報管理部５０２から受け取った「視聴予約／録画予約の一覧」を操作部１０７から入力するユーザの指示に従って画像再生表示部１０４に表示する。放送受信装置＃１を携行するユーザは、この表示を見て放送受信装置＃２が予約保持する番組情報の中に必要とする番組情報が存在するか否かを調べ、そのチェック結果を操作部１０７から入力する（ＳＴ６０２）。
【００６３】
放送受信装置＃１の制御部５０３は、ユーザのチェック結果が、放送受信装置＃２からの視聴予約／録画予約の一覧中に「必要とする番組情報が存在しない」である場合（ＳＴ６０２：Ｎｏ）はそのまま終了するが、放送受信装置＃２からの視聴予約／録画予約の一覧中に「必要とする番組情報が存在する」である場合（ＳＴ６０２：Ｙｅｓ）は、番組情報管理部５０２にその「必要とする番組情報」の取得指示を出す。番組情報管理部５０２は、制御部５０３からの指示に従って放送受信装置＃２に対して「必要とする地域の放送局情報」の送信を依頼する（ＳＴ６０３）。
【００６４】
送信依頼を受けた他の放送受信装置＃２では、制御部５０３は、番組情報管理部５０２から受け取った「放送受信装置＃１が必要とする番組情報」の送信依頼を画像再生表示部１０４に表示する。放送受信装置＃２を携行するユーザは、この表示を見て操作部１０７から送信指示を入力する。番組情報管理部５０２は、制御部５０３からの送信指示を受けて、番組情報格納メモリ５０１を検索して要求された「番組情報」を読み出し、要求元の放送受信装置＃１に送信する。
【００６５】
放送受信装置＃１では、番組情報管理部５０２がその受信した「番組情報」を番組情報格納メモリ５０１に格納する（ＳＴ６０４）。
【００６６】
このように、実施の形態４によれば、放送受信装置間で、互いに保持する視聴予約や録画予約に関わる番組情報の交換を行い必要な番組情報を取得できるようにした。これにより、異なる地域に移動する際に、予めその地域において放送受信可能な番組情報を取得しておくことができるので、移動後の番組選択操作を容易に行うことができる。
【００６７】
なお、以上説明した各実施の形態では、装置間通信部として、赤外線やブルートゥース等の近距離通信部を使用する場合を示したが、その他、例えば携帯電話網を経由した通信部も同様に使用することができる。この場合には、放送情報管理部や番組情報管理部は、例えば追加・削除が可能なプログラムを使用して必要な装置間通信を実現することになる。
【産業上の利用可能性】
【００６８】
本発明は、携帯電話機等のモバイル機器に搭載し、移動しながらテレビ放送やラジオ放送の放送番組を視聴して楽しむ放送受信装置として有用である。
【図面の簡単な説明】
【００６９】
【図１】本発明の実施の形態１に係る放送受信装置の構成を示すブロック図
【図２】本発明の実施の形態１に係る放送受信装置において他の放送受信装置から放送局情報を取得する動作過程を説明するフローチャート
【図３】本発明の実施の形態２に係る放送受信装置において他の放送受信装置から放送局情報に加えて視聴放送局情報を取得する動作過程を説明するフローチャート
【図４】本発明の実施の形態３に係る放送受信装置において他の放送受信装置から移動する先々必要な放送局情報を取得する動作過程を説明するフローチャート
【図５】本発明の実施の形態４に係る放送受信装置の構成を示すブロック図
【図６】本発明の実施の形態４に係る放送受信装置において他の放送受信装置から予約保持する番組情報を取得する動作過程を説明するフローチャート
【符号の説明】
【００７０】
１００、５００  放送受信装置
１０１  受信アンテナ
１０２  選局部  
１０３  放送信号復調部
１０４  画像再生表示部
１０５  音声再生出力部
１０６、５０３  制御部
１０７  操作部
１０８  放送局情報格納メモリ
１０９  放送局情報管理部
１１０、５０４  装置間通信部
５０１  番組情報格納メモリ
５０２  番組情報管理部
【図１】
2006135648.tif 000003
【図２】
2006135648.tif 000004
【図３】
2006135648.tif 000005
【図４】
2006135648.tif 000006
【図５】
2006135648.tif 000007
【図６】
2006135648.tif 000008